(57)【要約】【課題】  光ファイバケーブルが多重に巻かれ、巻き状態内側の光ファイバテープ心線が大きな圧縮方向への力を受けた状態で、被覆層が軟化する程の高温に曝されても、巻き状態内側のノッチ部で、巻き状態内側にある光ファイバテープ心線が、軟化した被覆層を裂き、ケーブル外に突出することのなく、光ファイバケーブルを切り裂いた際に、容易に細径化することができ、ビル横配線用ケーブルとの接続を容易にすることのできる光ファイバケーブルを提供すること。【解決手段】  光ファイバテープ心線３を複数積層してなる光ファイバテープ心線積層体４の積層する方向と直行する方向に該光ファイバテープ心線積層体４を挟むように２本のテンションメンバ５を設け、該光ファイバテープ心線積層体４とテンションメンバ５とを被覆層６で被覆して、該光ファイバテープ心線積層体４の積層方向の被覆層６に、対称位置にそれぞれ被覆層６引き裂き用のノッチ７が設けられている光ファイバケーブルにおいて、  前記光ファイバテープ心線３を２心テープ心線を単位として分割可能な光ファイバ分割型４心テープ心線で構成する。【選択図】    図  １
2005321444.tif 000002
【特許請求の範囲】
【請求項１】
光ファイバテープ心線を複数積層してなる光ファイバテープ心線積層体の積層する方向と直行する方向に該光ファイバテープ心線積層体を挟むように２本のテンションメンバを設け、該光ファイバテープ心線積層体とテンションメンバとを被覆層で被覆して、該光ファイバテープ心線積層体の積層方向の被覆層に、対称位置にそれぞれ被覆層引き裂き用のノッチが設けられている光ファイバケーブルにおいて、
前記光ファイバテープ心線を２心テープ心線を単位として分割可能な光ファイバ分割型４心テープ心線で構成したことを特徴とするビル幹線用細径光ファイバケーブル。
【請求項２】
光ファイバテープ心線を縦型にして横方向に複数積層してなる光ファイバテープ心線積層体の積層方向と直行する方向に該光ファイバテープ心線積層体を挟むように２本のテンションメンバを上下に設け、上側に位置するテンションメンバの上方に支持線を設け、前記光ファイバテープ心線積層体と前記テンションメンバと前記支持線を被覆層で被覆して、該光ファイバテープ心線積層体の積層方向の被覆層に、対称位置にそれぞれ被覆層引き裂き用のノッチが形成されている光ファイバケーブルにおいて、
前記光ファイバテープ心線を２心テープ心線を単位として分割可能な光ファイバ分割型４心テープ心線で構成したことを特徴とするビル幹線用細径光ファイバケーブル。
【請求項３】
光ファイバテープ心線を複数積層してなる光ファイバテープ心線積層体の積層する方向と直行する方向に該光ファイバテープ心線積層体を挟むように２本の抗張力体を設け、該光ファイバテープ心線積層体と抗張力体とを被覆層で被覆して、該光ファイバテープ心線積層体の積層方向の被覆層に、対称位置にそれぞれ被覆層引き裂き用のノッチが設けられている光ファイバケーブルにおいて、
前記光ファイバテープ心線を２心テープ心線を単位として分割可能な光ファイバ分割型４心テープ心線で構成すると共に、前記２つのノッチのそれぞれの深さをテープ心線積層体表面から０．３５ｍｍ以上の距離を保持する位置に形成したことを特徴とする光ファイバケーブル。
【請求項４】
前記光ファイバケーブルは、断面方形状に形成したものである請求項１、２又は３に記載の光ファイバケーブル。
【発明の詳細な説明】
【技術分野】
【０００１】
本発明は、光ファイバケーブルに係り、特に光ファイバケーブルが十分な径を確保されずに多重に巻かれた状態で高温に曝されても、巻き内側でテープ心線がケーブル外に突出することのない光ファイバケーブルに関する。
【背景技術】
【０００２】
光ファイバケーブルは、被覆層を有し、被覆層内部に光ファイバ心線と抗張力体とを備えた断面円形状に構成されたものが一般的となっている。このような光ファイバケーブルは、端末にコネクタを接続したり、熱融着することで接続が行われるが、接続作業の際には、光ファイバケーブルの内部にある光ファイバ心線を光ファイバケーブルの被覆層から露出させる必要があるため、従来はハサミやカッターなどで切れ目を入れて被覆層を引裂き、光ファイバ心線の取り出しを行っていた。
【０００３】
このハサミやカッターなどで切れ目を入れて被覆層を引裂き、光ファイバ心線の取り出す作業は、手間を要するため、光ファイバ心線の取出し作業を円滑に行うために被覆層に複数個のノッチを設けることが従来より行われている。すなわち、光ファイバケーブルに設けられた円形断面の被覆層に、Ｖ溝状のノッチを設け、内部の光ファイバ心線を取り出す際に、ノッチの溝部にハサミやカッターなどで切り込みを入れて被覆層を切り裂いて、光ファイバ心線を取り出す作業を行っている。
【０００４】
このハサミやカッターなどで切れ目を入れて被覆層を引裂く際に、ノッチの深さノッチ角度が影響することから、ノッチの深さノッチ角度に工夫を施し、光ファイバケーブルを手で引裂いて光ファイバ心線を容易に手で取り出すことができるようにした光ファイバが提案されている（例えば、特許文献１参照。）。この特許文献１の光ファイバケーブル１は、図１に示すように、２本の光ファイバ心線２を並べて配設し、この２本の光ファイバ心線２を並べて両脇に光ファイバ心線２から所定距離保たせて抗張力体３をそれぞれ配置し、樹脂層４で断面円形状に形成し、光ファイバ心線２の引出し性を向上させるために、光ファイバ心線２の連接方向と直行する方向の樹脂層４の外周面に２箇所ノッチ５を形成している。
【０００５】
また、近年、光ファイバケーブルも光ファイバ心線を複数本（例えば、４心）並べてテープ状に形成した光ファイバテープ心線が多く使われるようになっており、多心光ファイバ心線の場合は、断面が矩形状になっている。この光ファイバテープ心線を用いたものではないが、ケーブルの中心にある１本の光ファイバ心線とその両脇に平行に配置した２本のテンションメンバを同一平面に含むように対称形に一括被覆した外皮の表面に設けた、光ファイバ心線に平行に長手方向に延びるノッチを、光ファイバ心線とテンションメンバを含む平面と外皮との交線に沿って設けた光ファイバが提案されている（例えば、特許文献２参照。）。この特許文献２の光ファイバケーブルは、図１に示すように、１本の光ファイバ心線１を挟んで２本のテンションメンバ２を同一平面に含むように対称形に配置し、光ファイバ心線１と２本のテンションメンバ２を断面矩形状に外皮３で一括被覆し、この外皮３の表面にノッチを設けて形成したものである。
【特許文献１】特開２００２−２１４４９３号公報（第２頁  第１図）
【特許文献２】特開２００２−０９０５９７号公報（第２頁  第１図）
【発明の開示】
【発明が解決しようとする課題】
【０００６】
しかしながら、特許文献１の光ファイバケーブル１にあっては、２本の光ファイバ心線２を並べて配設したもので、２本の光ファイバ心線２とその両脇に配設した抗張力体３とを樹脂層４で断面円形状に成形したものである。このため、光ファイバ心線を複数本（例えば、４心）並べてテープ状に形成した光ファイバテープ心線を積層して２本のテンションメンバを配置し、樹脂層を被覆して成形する光ファイバケーブルには適用できないものとなっている。
【０００７】
また、特許文献２の光ファイバケーブル１にあっては、１本の光ファイバ心線１を挟んで設けられた２本のテンションメンバ２を断面矩形状に外皮３で一括被覆して形成したものである。このため、光ファイバ心線を複数本（例えば、４心）並べてテープ状に形成した光ファイバテープ心線を積層して２本のテンションメンバを配置し、樹脂層を被覆して成形する光ファイバケーブルとは構成が異なる。
【０００８】
そこで、近年用いられている光ファイバケーブル３０は、図４に示すように光ファイバ心線を複数本（例えば、４心）並べてテープ状に形成した光ファイバテープ心線３２を積層して２本のテンションメンバ３１を配置し、樹脂を断面矩形状に被覆して被覆層３４を形成し、光ファイバテープ心線積層体の積層方向の被覆層３４に、ノッチ３３を対称となる位置に設けて構成されている。この光ファイバケーブル３０は、ケーブルの径が十分に確保されずに多重に巻かれると、巻き状態内側の光ファイバテープ心線３２は、大きな圧縮方向への力を受ける。この状態で被覆層３４が軟化する程の高温に曝されると、巻き状態内側のノッチ３３部で、巻き状態内側にある光ファイバテープ心線３２が、軟化した被覆層３４を裂き、ケーブル外に突出してしまう。このケーブル外に突出した光ファイバテープ心線３２においては、ケーブル外への突出部が非常に小さな径に曲げられた状態となるため、伝送損失特性の悪化や、テープ心線の破断が発生するという問題がある。この原因は、図４に示される光ファイバケーブル３０は、被覆樹脂厚が薄いことによることが判った。
【０００９】
本発明は、光ファイバケーブルが多重に巻かれ、巻き状態内側の光ファイバテープ心線が大きな圧縮方向への力を受けた状態で、被覆層が軟化する程の高温に曝されても、巻き状態内側のノッチ部で、巻き状態内側にある光ファイバテープ心線が、軟化した被覆層を裂き、ケーブル外に突出することのなく、光ファイバケーブルを切り裂いた際に、容易に細径化することができ、ビル横配線用ケーブルとの接続を容易にすることのできる光ファイバケーブルを提供することにある。
【課題を解決するための手段】
【００１０】
請求項１に記載の本発明に係る光ファイバケーブルは、光ファイバテープ心線を複数積層してなる光ファイバテープ心線積層体の積層する方向と直行する方向に該光ファイバテープ心線積層体を挟むように２本のテンションメンバを設け、光ファイバテープ心線積層体とテンションメンバとを被覆層で被覆して、光ファイバテープ心線積層体の積層方向の被覆層に、対称位置にそれぞれ被覆層引き裂き用のノッチが設けられている光ファイバケーブルにおいて、光ファイバテープ心線を２心テープ心線を単位として分割可能な光ファイバ分割型４心テープ心線で構成したものである。
【００１１】
請求項２に記載の本発明に係る光ファイバケーブルは、光ファイバテープ心線を縦型にして横方向に複数積層してなる光ファイバテープ心線積層体の積層方向と直行する方向に光ファイバテープ心線積層体を挟むように２本のテンションメンバを上下に設け、上側に位置するテンションメンバの上方に支持線を設け、光ファイバテープ心線積層体とテンションメンバと支持線を被覆層で被覆して、光ファイバテープ心線積層体の積層方向の被覆層に、対称位置にそれぞれ被覆層引き裂き用のノッチが形成されている光ファイバケーブルにおいて、光ファイバテープ心線を２心テープ心線を単位として分割可能な光ファイバ分割型４心テープ心線で構成したものである。
【００１２】
請求項３に記載の本発明に係る光ファイバケーブルは、光ファイバテープ心線を複数積層してなる光ファイバテープ心線積層体の積層する方向と直行する方向に光ファイバテープ心線積層体を挟むように２本の抗張力体を設け、光ファイバテープ心線積層体と抗張力体とを被覆層で被覆して、光ファイバテープ心線積層体の積層方向の被覆層に、対称位置にそれぞれ被覆層引き裂き用のノッチが設けられている光ファイバケーブルにおいて、光ファイバテープ心線を２心テープ心線を単位として分割可能な光ファイバ分割型４心テープ心線で構成すると共に、前記２つのノッチのそれぞれの深さをテープ心線積層体表面から０．３５ｍｍ以上の距離を保持する位置に形成したものである。 
請求項４に記載の本発明に係る光ファイバケーブルは、光ファイバケーブルを、断面矩形状に形成したものである。 
【発明の効果】
【００１３】
請求項１に記載の発明によれば、光ファイバケーブルを細径化ができ、ビル横配線用ケーブルとの接続を容易にすることができる。
【００１４】
請求項２に記載の発明によれば、光ファイバケーブルを細径化ができ、ビル横配線用ケーブルとの接続を容易にすることができる。
【００１５】
請求項３に記載の発明によれば、光ファイバケーブルを多重に巻く際に、容易に巻き径を小さく巻くことができる。
【００１６】
請求項４に記載の発明によれば、側圧特性を向上することができる。
【発明を実施するための最良の形態】
【００１７】
本発明は、複数枚のテープ心線を積層したテープ心線積層体と、支持線やテンションメンバを、熱可塑性樹脂で一括被覆した多心の光ドロップケーブルや光インドアケーブルにおいて、曲げ内側のノッチ部で、被覆樹脂を破りテープ心線が突出しないようにし、光ファイバテープ心線を２心テープ心線を単位として分割可能な光ファイバ分割型４心テープ心線で構成することによって実現する。
【実施例１】
【００１８】
以下、本発明の実施例を詳細に説明する。
【００１９】
図１には、本発明に係る光ファイバケーブルの第１の実施例が示されている。
【００２０】
図１において、１は光ファイバケーブル、２は光ファイバ心線、３は光ファイバテープ心線、４は光ファイバテープ心線積層体、５はテンションメンバ、６は被覆層、７はノッチである。図１における光ファイバケーブル１は、１６心光インドアケーブルを例にとっている。
【００２１】
図１における光ファイバテープ心線３は、光ファイバ心線２を２心並べてテープ状に形成した光ファイバテープ心線（光ファイバ２心テープ心線）に分割が可能な、光ファイバテープ心線（光ファイバ分割型４心テープ心線）３を１２心ケーブルでは３枚、１６心ケーブルでは４枚と、ケーブル総心数に合わせ積層して光ファイバテープ心線積層体４が形成されている。
【００２２】
図１においては、光ファイバ心線２を複数本（例えば、４心）並べてテープ状に形成した光ファイバテープ心線３を複数本（本実施例においては、４本）積層して光ファイバテープ心線積層体４が形成されている。この光ファイバケーブル１は、光ファイバテープ心線積層体４の光ファイバテープ心線３の積層方向と直行する方向（光ファイバテープ心線３の両側）に、光ファイバテープ心線積層体４を挟むように２本のテンションメンバ５が設けられている。そして、この光ファイバケーブル１は、光ファイバテープ心線積層体４と、２本のテンションメンバ５を覆うように被覆層６が断面矩形状に被覆されている。このように被覆層６を断面矩形状に被覆してあるため、光ファイバケーブルを多重に巻く際に、容易に巻き径を小さく巻くことができる。
【００２３】
さらに、この光ファイバケーブル１の被覆層６には、光ファイバテープ心線積層体４の光ファイバテープ心線３の積層方向の対称位置に、それぞれ被覆層６を引き裂くためのノッチ７が設けられている。
【００２４】
いま、ノッチ７の底部から光ファイバテープ心線積層体４の表面までの距離をＴ、２本のテンションメンバ５の中心を結ぶ軸Ａから、光ファイバテープ心線積層体４の最外層の光ファイバテープ心線３の中心軸Ｂまでの距離をＲとする。本実施例における光ファイバケーブル１は、２つのノッチ７のそれぞれの深さ（ノッチ７の底部から光ファイバテープ心線積層体４の表面までの距離をＴ）を光ファイバテープ心線積層体４の表面から０．３５ｍｍ以上の距離を保持する位置に形成してある。
【００２５】
このように構成することにより、常に光ファイバテープ心線積層体４の表面からノッチ７の底部までの被覆層６の厚さを、光ファイバテープ心線積層体４の積層厚に拘わらず一定の厚さに保つことができる。すなわち、本実施例によれば、光ファイバケーブル１が多重に巻かれ、巻き状態内側の光ファイバテープ心線３が大きな圧縮方向への力を受けた状態で、被覆層６が軟化する程の高温に曝されても、巻き状態内側のノッチ７の部分で、巻き状態内側にある光ファイバテープ心線３が、軟化した被覆層６を裂き、ケーブル外に突き出すのを防止することができる。
【００２６】
また、本発明に係る光ファイバケーブル１は、２つのノッチ７のそれぞれの深さを特定する光ファイバテープ心線積層体４の表面からの距離Ｔを、ノッチ７の底部からテープ心線積層体４の表面までの距離Ｔと、２本のテンションメンバ５の中心を結ぶ軸Ａから光ファイバテープ心線積層体４の最外層のテープ心線の中心軸Ｂまでの距離Ｒと相関性を持たせて特定するのが好適である。このように構成することによって、光ファイバケーブル１は、光ファイバテープ心線３を多重に巻き、周囲に被覆する被覆層６の厚さに拘わらず、テープ心線積層体４からノッチ７の底部までの被覆層６の厚さを、光ファイバテープ心線積層体４の層厚との関係で最適な厚さに設定することができる。
【実施例２】
【００２７】
本発明の第２の実施例における光ファイバケーブル１は、２つのノッチのそれぞれの深さを特定するテープ心線積層体表面からの距離を、ノッチ底部からテープ心線積層体表面までの距離をＴ、２本の抗張力体の中心を結ぶ軸からテープ心線積層体最外層のテープ心線中心軸までの距離をＲとしたとき、
Ｔ≧Ｒ×０．７
の関係になるように構成したものである。すなわち、ノッチ７の底部から光ファイバテープ心線積層体４の表面までの距離をＴ、２本の抗張力体５の中心を結ぶ軸Ａから、光ファイバテープ心線積層体４の最外層の光ファイバテープ心線３の中心軸Ｂまでの距離をＲとしたとき、本実施例における光ファイバケーブル１は、ノッチ底部から光ファイバテープ心線積層体の表面までの距離をＴと、２本の抗張力体の中心を結ぶ軸から光ファイバテープ心線積層体の最外層のテープ心線中心軸までの距離をＲとの関係が、
Ｔ≧Ｒ×０．７
なる式を満足するように構成したものである。
【００２８】
本実施例の光ファイバケーブル１では、ノッチ７の底部から光ファイバテープ心線積層体４の表面までの距離Ｔを、２本の抗張力体５の中心を結ぶ軸Ａから光ファイバテープ心線積層体４の最外層の光ファイバテープ心線３の中心軸Ｂまでの距離Ｒの０．７倍以上と被覆樹脂厚を厚くしてある。このため、光ファイバケーブル１が十分な径を確保されずに多重に巻かれた状態で高温に曝されても、巻き状態内側にある光ファイバテープ心線積層体４の最外層の光ファイバテープ心線３は、十分な厚さを持つ樹脂被覆層６を裂くことがなく、光ファイバケーブル１が外に突出することがない。従って、伝送損失特性の悪化や、テープ心線の破断も発生しない。
【００２９】
本実施例の例に示した１６心光インドアケーブルの場合、２本の抗張力体５の中心を結ぶ軸Ａから光ファイバテープ心線積層体４の最外層の光ファイバテープ心線３の中心軸Ｂまでの距離Ｒは、約０．５ｍｍとなる。
【００３０】
図４に示される従来の１６心光インドアケーブル３０においては、ノッチ３３の底部からテープ心線積層体の表面までの距離Ｔは、約０．３ｍｍとなっている。すなわち、ノッチ３３の底部からテープ心線積層体の表面までの距離Ｔは、２本のテンションメンバ３１の中心を結ぶ軸Ａから光ファイバテープ心線積層体の最外層の光ファイバテープ心線３２の中心軸Ｂまでの距離Ｒの約０．６倍となる。したがって、図４に示される従来の１６心光インドアケーブル３０では、曲げ半径２００ｍｍ以下で、１０周以上多重巻き、６０℃以上の高温に曝されると、巻き状態内側にある光ファイバテープ心線積層体の最外層の光ファイバテープ心線３２が軟化した樹脂被覆層６をノッチ部で裂き、１６心光インドアケーブル３０の外に突出する。さらに、図４に示される従来の１６心光インドアケーブル３０では、突出部において光ファイバテープ心線３２は、半径３ｍｍ程度以下の曲げを受けるため、伝送損失特性の悪化や、テープ心線の破断が発生する。
【００３１】
これに対し、本実施例の１６心光インドアケーブル１では、ノッチ７の底部から光ファイバテープ心線積層体４の表面までの距離Ｔを約０．３５ｍｍ以上と設定してある。このとき距離Ｔは、２本の抗張力体５の中心を結ぶ軸Ａから光ファイバテープ心線積層体４の最外層の光ファイバテープ心線３の中心軸Ｂまでの距離Ｒの０．７倍以上となる。したがって、本実施例の１６心光インドアケーブルにおいては、曲げ半径２００ｍｍ以下で、１０周以上多重巻き、６０℃以上の高温に曝されても、ノッチ７の部分で十分な被覆樹脂を持つため、巻き状態内側にあるテープ心線積層体４の最外層の光ファイバテープ心線３が、１６心光インドアケーブル１の外に突出することはない。このため、本実施例の１６心光インドアケーブル１では、伝送損失特性の悪化や、光ファイバテープ心線３の破断を発生させることがない。
【実施例３】
【００３２】
図２には、本発明に係る光ファイバケーブルの第３の実施例が示されている。  本発明に係る光ファイバケーブルの第３の実施例は、光ファイバテープ心線を複数積層してなる光ファイバテープ心線積層体の積層する方向と直行する方向に該光ファイバテープ心線積層体を挟むように２本のテンションメンバを設け、該光ファイバテープ心線積層体とテンションメンバとを被覆層で被覆して、該光ファイバテープ心線積層体の積層方向の被覆層に、対称位置にそれぞれ被覆層引き裂き用のノッチが設けられている光ファイバケーブルの光ファイバテープ心線を、光ファイバ２心テープ心線を単位として分割可能に構成し、最長径を約６ｍｍ以下に成形するものである。
【００３３】
図２において、１０は光ファイバケーブル、１１は光ファイバ心線、１２は光ファイバテープ心線、１３は光ファイバテープ心線積層体、１４はテンションメンバ、１５は被覆層、１６はノッチである。図２における光ファイバケーブル１０は、１６心光インドアケーブル（支持線無し）を例にとっている。
【００３４】
図２における光ファイバテープ心線１２は、光ファイバ心線１１を２心並べてテープ状に形成した光ファイバテープ心線（光ファイバ２心テープ心線）に分割が可能な、光ファイバテープ心線（光ファイバ分割型４心テープ心線）１２を１２心ケーブルでは３枚、１６心ケーブルでは４枚と、ケーブル総心数に合わせ積層して光ファイバテープ心線積層体１３が形成されている。
【００３５】
この光ファイバケーブル１０は、光ファイバテープ心線積層体１３の光ファイバテープ心線１２の積層方向と直行する方向（光ファイバテープ心線１２の両側）に、光ファイバテープ心線積層体１３を挟むように２本のテンションメンバ１４が配置されている。そして、この光ファイバケーブル１０は、光ファイバテープ心線積層体１３と、２本のテンションメンバ１４を覆うように被覆層１５が断面方形状に被覆されている。このように被覆層１５を断面矩形状に被覆してあるため、光ファイバケーブルを多重に巻く際に、容易に巻き径を小さく巻くことができる。
【００３６】
このテンションメンバ１４の径の大きさは、直径０．４ｍｍ〜０．７ｍｍに形成され、鋼線、又は繊維強化プラスチック（ＦＲＰ）で構成されている。また、被覆層１５は、ポリエチレン等、熱可塑性樹脂によって構成されている。
【００３７】
さらに、この光ファイバケーブル１の被覆層１５には、光ファイバテープ心線積層体１３の光ファイバテープ心線１２の積層方向の対称位置に、それぞれ被覆層１５を引き裂くためのノッチ１６が設けられている。
【００３８】
本実施例における１６心光インドアケーブル（支持線無し）にあっては、光ファイバケーブル１０の長径（図１の幅Ａ）が約４ｍｍ、短径（図１の幅Ｂ）が約３ｍｍに形成してある。
【実施例４】
【００３９】
図３には、本発明に係る光ファイバケーブルの第４の実施例が示されている。  本発明に係る光ファイバケーブルの第４の実施例は、光ファイバテープ心線を縦型にして横方向に複数積層してなる光ファイバテープ心線積層体の積層方向と直行する方向に該光ファイバテープ心線積層体を挟むように２本のテンションメンバを上下に設け、上側に位置するテンションメンバの上方に支持線を設け、前記光ファイバテープ心線積層体と前記テンションメンバと前記支持線を被覆層で被覆して、該光ファイバテープ心線積層体の積層方向の被覆層に、対称位置にそれぞれ被覆層引き裂き用のノッチが形成されている光ファイバケーブルの支持線を直径０．７ｍｍ〜１．２ｍｍの鋼線又は、直径０．７ｍｍ〜１．２ｍｍの繊維強化プラスチックで構成し，光ファイバテープ心線を光ファイバ２心テープ心線を単位として分割可能に構成し、最長径を約６ｍｍ以下に成形するものである。
【００４０】
図３において、２０は光ファイバケーブル、２１は光ファイバ心線、２２は光ファイバテープ心線、２３は光ファイバテープ心線積層体、２４はテンションメンバ、２５は支持線、２６は被覆層、２７は支持線ノッチ、２８はノッチである。図３における光ファイバケーブル２０は、ビル内縦配線布設において、吊り下げ固定用に支持線が必要な場合の吊線付き１６心型の例をとっている。
【００４１】
図３において、光ファイバテープ心線２２は、光ファイバ心線２１を２心並べてテープ状に形成した光ファイバテープ心線（光ファイバ２心テープ心線）に分割が可能にして、光ファイバ分割型４心テープ心線に構成する光ファイバテープ心線２２を立てて、横に１２心ケーブルでは３枚、１６心ケーブルでは４枚と、ケーブル総心数に合わせ積層して光ファイバテープ心線積層体２３が形成されている。
【００４２】
この光ファイバケーブル２０は、光ファイバテープ心線積層体２３の光ファイバテープ心線２２の積層方向と直行する方向（光ファイバテープ心線２２の両側、図３で上下）に、光ファイバテープ心線積層体２３を挟んで２本のテンションメンバ２４が配置されている。そして、この２本のテンションメンバ２４の内、一方（上側）のテンションメンバ２４の上方に支持線２５が配置されている。この光ファイバテープ心線積層体２３と、２本のテンションメンバ２４と、支持線２５を覆うように一括して樹脂被覆して、支持線２５の周囲は、楕円形状に形成され、光ファイバテープ心線積層体２３と２本のテンションメンバ２４を合わせた部分は、断面方形状に形成されており、支持線２５と、テンションメンバ２４との間には、くびれ部（支持線ノッチ）２７が形成されて、変形ひょうたん型に被覆層２６が形成されている。このくびれ部（支持線ノッチ）２７は、光ファイバケーブル２０から支持線２５の取り外しを容易にするためのものである。
【００４３】
このテンションメンバ２４の径の大きさは、直径０．４ｍｍ〜０．７ｍｍに形成され、材質は鋼線、又は繊維強化プラスチック（ＦＲＰ）で構成されている。また、支持線２５の径の大きさは、直径０．７ｍｍ〜１．２ｍｍに形成され、材質は鋼線、又は繊維強化プラスチック（ＦＲＰ）で構成されている。さらに、被覆層２６は、ポリエチレン等、熱可塑性樹脂によって構成されている。
【００４４】
さらに、この光ファイバケーブル２０の被覆層２６には、光ファイバテープ心線積層体２３の光ファイバテープ心線２２の積層方向の対称位置に、それぞれ被覆層２６を引き裂くためのノッチ２８が設けられている。このノッチ２８は、光ファイバ分割型４心テープ心線２１を成形品（光ファイバケーブル２０）から容易に取り出せるようにするためのものである。
【００４５】
本実施例における吊線付１６心光インドアケーブルにあっては、光ファイバケーブル２０の長径（支持線１５を被覆する被覆層の最上端から光ファイバテープ心線積層体２３と２本のテンションメンバ２４を被覆する被覆層の最下端までの距離、図３でいう縦幅Ｃ）が約６ｍｍ、短径（図３でいう光ファイバテープ心線積層体２３と２本のテンションメンバ２４を被覆する被覆層２６の横幅Ｄ）が約３ｍｍに形成してある。
【００４６】
なお、本実施例において、吊線の有無に拘わらず、光ファイバケーブル２０の幅６ｍｍまでの範囲であれば、光ファイバ分割型４心テープ心線で構成する光ファイバテープ心線２２の枚数を増減することができる。
【００４７】
したがって、本実施例によれば、十分な管路、布設空間を持たない既設ビル等への、ビル幹線用光ファイバケーブルの布設を容易に行うことができる。
【００４８】
このように本発明に係る光ファイバケーブルの実施例は、光ファイバテープ心線を縦型にして横方向に複数積層してなる光ファイバテープ心線積層体の積層方向と直行する方向に該光ファイバテープ心線積層体を挟むように２本のテンションメンバを上下に設け、上側に位置するテンションメンバの上方に支持線を設け、前記光ファイバテープ心線積層体と前記テンションメンバと前記支持線を被覆層で被覆して、該光ファイバテープ心線積層体の積層方向の被覆層に、対称位置にそれぞれ被覆層引き裂き用のノッチが形成されている光ファイバケーブルにおいて、支持線を直径０．７ｍｍ〜１．２ｍｍの鋼線又は、直径０．７ｍｍ〜１．２ｍｍの繊維強化プラスチックで構成し，光ファイバテープ心線を光ファイバ２心テープ心線を単位として分割可能に構成し、最長径を約６ｍｍ以下に成形したものである。
【００４９】
このように本発明に係る光ファイバケーブルの実施例は、光ファイバテープ心線を複数積層してなる光ファイバテープ心線積層体の積層する方向と直行する方向に該光ファイバテープ心線積層体を挟むように２本のテンションメンバを設け、該光ファイバテープ心線積層体とテンションメンバとを被覆層で被覆して、光ファイバテープ心線積層体の積層方向の被覆層に、対称位置にそれぞれ被覆層引き裂き用のノッチが設けられている光ファイバケーブルにおいて、光ファイバテープ心線を光ファイバ２心テープ心線を単位として分割可能に構成し、最長径を約６ｍｍ以下に成形したものである。
【００５０】
また、本発明に係る光ファイバケーブルの実施例は、光ファイバテープ心線を縦型にして横方向に複数積層してなる光ファイバテープ心線積層体の積層方向と直行する方向に該光ファイバテープ心線積層体を挟むように２本のテンションメンバを上下に設け、上側に位置するテンションメンバの上方に支持線を設け、前記光ファイバテープ心線積層体と前記テンションメンバと前記支持線を被覆層で被覆して、該光ファイバテープ心線積層体の積層方向の被覆層に、対称位置にそれぞれ被覆層引き裂き用のノッチが形成されている光ファイバケーブルにおいて、支持線を直径０．７ｍｍ〜１．２ｍｍの鋼線又は、直径０．７ｍｍ〜１．２ｍｍの繊維強化プラスチックで構成し，光ファイバテープ心線を光ファイバ２心テープ心線を単位として分割可能に構成し、最長径を約６ｍｍ以下に成形したものである。
【００５１】
さらに、本実施例における光ファイバケーブルは、光ファイバケーブルのテンションメンバを直径０．４ｍｍ〜０．７ｍｍとし、光ファイバケーブルの総心数を、８〜２４心にするとより効果的である。
【００５２】
なお、本実施例における光ファイバケーブルは、断面方形状に形成されている。
【図面の簡単な説明】
【００５３】
【図１】本発明に係る光ファイバケーブルの実施例を示す断面図。
【図２】本発明に係る光ファイバケーブルの実施例を示す断面図。
【図３】本発明に係る光ファイバケーブルの実施例を示す断面図。
【図４】従来の光ファイバテープ心線を用いた光ファイバケーブルの断面図。
【符号の説明】
【００５４】
１，１０，２０………………光ファイバケーブル
２，１１，２１………………光ファイバ心線
３，１２，２２………………光ファイバテープ心線
４，１３，２３………………光ファイバテープ心線積層体
５，１４，２４………………テンションメンバ
６，１５，２６………………被覆層
７，１６，２８………………ノッチ
２５……………………………支持線
２７……………………………支持線ノッチ
【図１】
2005321444.tif 000003
【図２】
2005321444.tif 000004
【図３】
2005321444.tif 000005
【図４】
2005321444.tif 000006